(57)【要約】  光の照射角度及び反射角度に応じて変わる分光特性を、より多く、且つより短時間に測定する。  縮小光学系の分光測定装置が、測定対象物の被照射面における複数の領域の各々に対して光を照射する照射部と、照射部及び測定対象物のうちの一方を他方に対して移動させる移動機構と、照射部を制御して照射部が光を照射する際の照射角度を変更させる制御部と、複数の領域の各々にて反射した反射光を、反射光の被照射面に対する反射角度に関して複数設定された設定角度別に検知する検知部と、を有する。移動機構によって照射部及び測定対象物のうちの一方が移動範囲の一端から他端まで移動する間に、制御部が複数の領域の各々に対する照射角度を複数の角度に変更させ、照射角度が変わる度に、検知部が反射光を設定角度別に検知する。
2020090300.tif 000002
【特許請求の範囲】
【請求項１】
測定対象物の分光特性を測定する縮小光学系の分光測定装置であって、
前記測定対象物の被照射面における複数の領域の各々に対して、光を照射する照射部と、
前記照射部及び前記測定対象物のうちの一方を他方に対して移動させる移動機構と、
前記照射部を制御して、前記照射部が光を照射する際の照射角度を変更させる制御部と、
前記複数の領域の各々にて反射した反射光を、前記反射光の前記被照射面に対する反射角度に関して複数設定された設定角度別に検知する検知部と、を有し、
前記移動機構によって前記照射部及び前記測定対象物のうちの一方が移動範囲の一端から他端まで移動する間に、前記制御部が、前記複数の領域の各々に対する前記照射角度を複数の角度に変更させ、
前記照射角度が変わる度に、前記検知部が、前記反射光を前記設定角度別に検知することを特徴とする分光測定装置。
【請求項２】
前記検知部は、前記照射部が照射する光に関して複数設定された設定波長のそれぞれについて、前記反射光を前記設定角度別に検知する請求項１に記載の分光測定装置。
【請求項３】
前記照射部は、白色光を照射し、
前記検知部は、前記設定波長毎に設けられた複数のチャンネルを有し、前記複数のチャンネルのそれぞれにて、対応する前記設定波長の前記反射光を前記設定角度別に検知する請求項２に記載の分光測定装置。
【請求項４】
前記複数のチャンネルのそれぞれは、対応する前記設定波長に応じたフィルタを備えた受光素子によって構成されている請求項３に記載の分光測定装置。
【請求項５】
前記照射部が照射する光の色は、前記設定波長毎に切り替わり、
前記照射部が照射する光の色が切り替わる度に、前記検知部が前記反射光を前記設定角度別に検知する請求項２に記載の分光測定装置。
【請求項６】
前記検知部には、前記設定角度の種類数と同数のセンサ列が並んで設けられており、
前記反射光の光路を前記反射角度に応じて変更する光路変更部を有し、
前記光路変更部が前記光路を変更することにより、前記設定角度別に分かれた前記反射光の各々が、互いに異なる前記センサ列に到達する請求項１乃至５のいずれか一項に記載の分光測定装置。
【請求項７】
前記光路変更部は、前記設定角度別に分かれた前記反射光の各々を平行光とするためのコリメートレンズを有し、
前記設定角度別に分かれた前記反射光の各々は、前記コリメートレンズを通過することにより、互いに異なる前記センサ列に到達する請求項６に記載の分光測定装置。
【請求項８】
前記光路変更部は、前記光路において前記コリメートレンズの配置位置よりも下流側の位置に、前記設定角度別に分かれた前記反射光の各々を平行光である状態から集光させるための集光用レンズを有し、
前記設定角度別に分かれた前記反射光の各々が前記集光用レンズを通過した後、前記反射光の前記光路の間隔が、前記検知部に近づくにつれて短くなる請求項７に記載の分光測定装置。
【請求項９】
前記移動機構は、前記照射部を前記測定対象物に対して移動させ、
前記コリメートレンズは、前記移動機構によって前記照射部と共に移動するシリンドリカルレンズである請求項７又は８に記載の分光測定装置。
【請求項１０】
前記照射部は、複数の光源ユニットを有し、
前記複数の光源ユニットの各々は、前記移動機構が前記照射部及び前記測定対象物のうちの一方を他方に対して移動させる際の移動方向において、互いに異なる位置に配置されており、
前記制御部は、前記複数の光源ユニットのうち、前記照射部が光を照射する際に用いる光源ユニットを切り替えることにより、前記照射角度を変更させる請求項１乃至９のいずれか一項に記載の分光測定装置。
【請求項１１】
画像が記録された画像記録部を有する前記測定対象物であって、前記被照射面側から前記画像記録部を視認した際に前記画像が視認角度に応じて変化する前記測定対象物の分光特性を測定する請求項１乃至１０のいずれか一項に記載の分光測定装置。
【請求項１２】
前記制御部の制御によって変更可能な前記照射角度の種類数が、３以上である請求項１乃至１１のいずれか一項に記載の分光測定装置。
【発明の詳細な説明】
【技術分野】
【０００１】
本発明は、分光測定装置に係り、特に、測定対象物の分光特性を測定する縮小光学系の分光測定装置に関する。
【背景技術】
【０００２】
測定対象物の表面（被照射面）の各領域に光を照射し、その反射光を検知して各領域の分光特性を測定する分光測定装置は、既に知られている。分光測定装置としては、例えば、フラットベッド型の測定装置が挙げられ、また、フラットベッド型の測定装置の中には、ＣＣＤタイプ（Charge Coupled Devices）の読取方式を採用したスキャナのような縮小光学系の装置が存在する。【０００３】
また、近年では、被照射面の質感等を評価する目的から、様々な角度の反射光を受光して各角度での反射光の強度を取得する分光測定装置が開発されてきている。このような装置の一例としては、例えば特許文献１に記載の装置が挙げられる。【０００４】
特許文献１に記載の装置（特許文献１では、「変角特性取得装置」と表記）は、対象物へ光を照射する光照射手段と、複数の画素を備えた受光素子と、反射面が互いに異なる方向を向くように配置された複数のミラーとを有する。複数のミラーの各々は、対象物に照射された光の複数位置から異なる角度で反射された反射光を、各々の反射面で受光素子の方向に反射させる。また、受光素子は、複数のミラーからの反射光を異なる画素で取得する。【０００５】
以上のように構成された特許文献１に記載の装置では、機構上の構成要素の移動等を伴わずに、様々な角度からの反射光を取得することができる。つまり、特許文献１に記載の装置では、それぞれの反射角度での分光特性（厳密には、変角分光特性）を同時に取得することができ、分光特性の測定時間を短縮することが可能である。
【先行技術文献】
【特許文献】
【０００６】
【特許文献１】特開２０１４−１６７４０３号公報
【発明の概要】
【発明が解決しようとする課題】
【０００７】
ところで、測定対象物の分光特性（例えば、色及び反射率等）は、光の照射角度に応じて変化することがある。例えば、観察角度に応じて視認される画像が変化する加飾部材を測定対象物として分光特性を実施する場合には、加飾部材に照射する光の照射角度に応じて、取得される分光特性が異なる。そのため、上記の場合には光の照射角度を変えながら、反射角度別に分光特性を測定することが必要になる。【０００８】
一方、上述した特許文献１に記載の装置では、光の照射角度が固定されているため、照射角度を変えながら分光特性を測定することが困難である。仮に、特許文献１に記載の装置を用いて、様々な照射角度の下で分光特性を測定する場合には、照射角度毎に照明装置の姿勢等を調整する手間が必要となるため、測定に時間を要する虞がある。【０００９】
そこで、本発明は、上記の事情に鑑みてなされたものであり、以下に示す目的を解決することを課題とする。
具体的には、本発明は、上記従来技術の問題点を解決し、光の照射角度及び反射角度に応じて変わる分光特性を、より多く、且つより短時間に測定することが可能な分光測定装置を提供することを目的とする。
【課題を解決するための手段】
【００１０】
上記の目的を達成するために、本発明の分光測定装置は、測定対象物の分光特性を測定する縮小光学系の分光測定装置であって、測定対象物の被照射面における複数の領域の各々に対して、光を照射する照射部と、照射部及び測定対象物のうちの一方を他方に対して移動させる移動機構と、照射部を制御して、照射部が光を照射する際の照射角度を変更させる制御部と、複数の領域の各々にて反射した反射光を、反射光の被照射面に対する反射角度に関して複数設定された設定角度別に検知する検知部と、を有し、移動機構によって照射部及び測定対象物のうちの一方が移動範囲の一端から他端まで移動する間に、制御部が、複数の領域の各々に対する照射角度を複数の角度に変更させ、照射角度が変わる度に、検知部が、反射光を設定角度別に検知することを特徴とする。【００１１】
上記のように構成された分光測定装置では、移動機構によって照射部及び測定対象物のうちの一方が移動範囲の一端から他端まで移動する間に、光の照射角度が複数の角度に変化し、照射角度が変わる度に、反射光を設定された反射角度（設定角度）別に検知する。つまり、本発明の分光測定装置では、照射部又は測定対象物が移動範囲を一回移動する間に、測定対象物の被照射面における各領域について、照射角度の種類数及び設定角度の種類数に応じた数の分光特性を測定する。これにより、光の照射角度及び反射角度に応じて変わる分光特性を、より多く、且つより短時間に測定することが可能となる。【００１２】
また、上記の分光測定装置において、検知部は、照射部が照射する光に関して複数設定された設定波長のそれぞれについて、反射光を設定角度別に検知すると、好適である。
上記の構成であれば、照射部又は測定対象物が移動範囲を一回移動する間に、測定対象物の被照射面における各領域について、照射角度の種類数、設定角度の種類数、及び設定波長の種類数に応じた数の分光特性を測定する。これにより、光の照射角度及び反射角度に応じて変わる分光特性を、より一層多く測定することが可能となる。【００１３】
また、上記の分光測定装置において、照射部は、白色光を照射し、検知部は、設定波長毎に設けられた複数のチャンネルを有し、複数のチャンネルのそれぞれにて、対応する設定波長の反射光を設定角度別に検知すると、より好適である。
上記の構成であれば、照射部が照射する光の種類（厳密には、色）を変更する必要がない。また、検知部は、各チャンネルにて、対応する設定波長の反射光を検知することができる。これにより、検知部は、チャンネル数と同数の設定波長のそれぞれについて、反射光を同時に検知することが可能となる。【００１４】
また、上記の分光測定装置において、複数のチャンネルのそれぞれは、対応する設定波長に応じたフィルタを備えた受光素子によって構成されていると、さらに好適である。
上記の構成であれば、各チャンネルを、波長別のフィルタがオンチップされた受光素子によって構成するので、より汎用的な構成の検知部が実現されることになる。【００１５】
また、上記の分光測定装置において、照射部が照射する光の色は、設定波長毎に切り替わり、照射部が照射する光の色が切り替わる度に、検知部が反射光を設定角度別に検知してもよい。
上記の構成では、複数のチャンネルを設けなくても、検知部が、様々な設定波長の反射光を検知することができる。【００１６】
また、上記の分光測定装置において、検知部には、設定角度の種類数と同数のセンサ列が並んで設けられており、反射光の光路を反射角度に応じて変更する光路変更部を有し、光路変更部が光路を変更することにより、設定角度別に分かれた反射光の各々が、互いに異なるセンサ列に到達すると、より一層好適である。
上記の構成では、反射光の光路が光路変更部によって変更されることにより、設定角度別に分かれた反射光の各々が、検知部において、互いに異なるセンサ列に到達する。これにより、検知部は、設定角度別に分かれた反射光の各々を同時に検知することが可能となる。【００１７】
また、上記の分光測定装置において、光路変更部は、設定角度別に分かれた反射光の各々を平行光とするためのコリメートレンズを有し、設定角度別に分かれた反射光の各々は、コリメートレンズを通過することにより、互いに異なるセンサ列に到達すると、益々好適である。
上記の構成では、各反射光が、コリメートレンズを通過することで平行光となり、検知部において互いに異なるセンサ列に到達するようになる。つまり、上記の構成であれば、設定角度別に分かれた反射光のそれぞれを、対応するセンサ列に良好に導くことが可能となる。【００１８】
また、上記の分光測定装置において、光路変更部は、光路においてコリメートレンズの配置位置よりも下流側の位置に、設定角度別に分かれた反射光の各々を平行光である状態から集光させるための集光用レンズを有し、設定角度別に分かれた反射光の各々が集光用レンズを通過した後、反射光の光路の間隔が、検知部に近づくにつれて短くなると、一段と好適である。
上記の構成では、設定角度別に分かれた反射光のそれぞれが、コリメートレンズを通過して平行光となった後に、検知部の手前位置にて集光用レンズによって集光され、対応するセンサ列に到達する。つまり、集光用レンズによって反射光間のピッチが短くなり、これに伴って、センサ列間の間隔が短くなる。この結果、検知部をより小型化させることが可能となる。【００１９】
また、上記の分光測定装置において、移動機構は、照射部を測定対象物に対して移動させ、コリメートレンズは、移動機構によって照射部と共に移動するシリンドリカルレンズであるとよい。
上記の構成では、移動機構によって照射部と共に移動するシリンドリカルレンズによって、設定角度別に分かれた反射光の各々が平行光となるように、各反射光の光路を変更することができる。【００２０】
また、上記の分光測定装置において、照射部は、複数の光源ユニットを有し、複数の光源ユニットの各々は、移動機構が照射部及び測定対象物のうちの一方を他方に対して移動させる際の移動方向において、互いに異なる位置に配置されており、制御部は、複数の光源ユニットのうち、照射部が光を照射する際に用いる光源ユニットを切り替えることにより、照射角度を変更させると、より好適である。
上記の構成では、複数の光源ユニットのうち、光照射時に用いる光源ユニットを切り替えることにより、照射角度を確実に変更させることができる。【００２１】
また、上記の分光測定装置において、画像が記録された画像記録部を有する測定対象物であって、被照射面側から画像記録部を視認した際に画像が視認角度に応じて変化する測定対象物の分光特性を測定すると、さらに好適である。
上記の構成では、本発明の効果がより有意義なものとなる。具体的に説明すると、視認角度に応じて画像が変化する測定対象物の分光特性は、光の照射角度及び反射光の反射角度に応じて変動する。このような測定対象物の分光特性の測定に本発明の分光測定装置を適用すれば、光の照射角度及び反射角度に応じて変わる分光特性を、より多く、且つより短時間に測定するという効果が有意義に発揮されることになる。【００２２】
また、上記の分光測定装置において、制御部の制御によって変更可能な照射角度の種類数が、３以上であってもよい。
上記の構成では、照射角度の種類数が３以上であると、照射角度のバリエーションが増えるので、分光特性をより一層多く測定することが可能となる。
【発明の効果】
【００２３】
本発明によれば、光の照射角度及び反射角度に応じて変わる分光特性を、より多く、且つより短時間に測定することが可能な分光測定装置が実現される。
【図面の簡単な説明】
【００２４】
【図１】本発明の一実施形態に係る分光測定装置の内部構成を示す概略図である。
【図２】本発明の一実施形態に係る測定対象物の模式的な側面図である。
【図３】本発明の一実施形態に係る分光測定装置の制御系統を示すブロック図である。
【図４】照射部の構成を示す模式的な平面図である。
【図５】照射角度についての説明図である。
【図６】反射角度についての説明図である。
【図７】検知部における各センサ列の構成についての説明図である。
【図８】変形例に係るセンサ列の構成を示す図である。
【図９】反射光の光路についての説明図である。
【発明を実施するための形態】
【００２５】
本発明の一実施形態（以下、本実施形態）に係る分光測定装置について、添付の図面に示す好適な実施形態を参照しながら、以下に詳細に説明する。ただし、以下に記載する構成要件の説明は、本発明の代表的な実施態様に基づいてなされることがあるが、本発明はそのような実施態様に限定されるものではない。すなわち、本発明は、その趣旨を逸脱しない限りにおいて、以下に説明する実施形態から変更又は改良され得る。また、当然ながら、本発明には、その等価物が含まれる。
【００２６】
なお、本明細書において、「〜」を用いて表される数値範囲は、「〜」の前後に記載される数値を下限値及び上限値として含む範囲を意味する。
また、本明細書において、「同じ」、「同様」及び「同一」は、本発明が属する技術分野において一般的に許容される誤差範囲を含むものとする。
また、本明細書において、「全部」、「いずれも」及び「全面」等というとき、１００％である場合のほか、本発明が属する技術分野で一般的に許容される誤差範囲を含み、例えば９９％以上、９５％以上、または９０％以上である場合を含むものとする。
また、本明細書において、「平行」は、基準となるライン、面若しくは方向に対して平行であることは勿論のこと、略平行である場合、及び数度程度傾いている場合を含むものとする。
【００２７】
＜＜本実施形態に係る分光測定装置の概要＞＞
本実施形態に係る分光測定装置１０は、図１に示すように、測定対象物１２の被照射面１４に光を照射し、被照射面１４にて反射した反射光を検知することで、測定対象物１２の分光特性を測定する。図１は、分光測定装置１０の内部構成を示す概略図である。
【００２８】
なお、測定する分光特性としては、測定対象物１２の被照射面１４の分光反射率及び分光スペクトル等が挙げられる。
【００２９】
測定対象物１２について説明すると、図２に示すように、測定対象物１２は、不図示の画像が記録された画像記録部１６を有する。図２は、本実施形態に係る測定対象物１２の模式的な側面図である。
【００３０】
また、画像記録部１６に記録された画像は、被照射面１４側から画像記録部１６を視認した際に視認角度に応じて変化する。つまり、本実施形態の測定対象物１２は、視認角度に応じて光の反射率が変化するものである。このような測定対象物１２としては、例えば、表面にホログラム画像が形成された媒体及び加飾品、並びに、画像記録部１６の上にレンチキュラーレンズが貼り付けられたシート（レンチキュラーシート）等が挙げられる。その他、磨いた金属等が挙げられ、この金属では、正反射する反射光の強度が非常に強くなる一方で、正反射の反射角度からずれる反射角度では光の強度が急減する。
なお、視認角度は、画像記録部１６において画像が形成された表面の法線に対する角度であり、視認者側に向かって反射される光の反射角度と捉えることができる。
【００３１】
また、本実施形態に係る分光測定装置１０は、縮小光学系の分光測定装置である。具体的に説明すると、分光測定装置１０では、所定の方向（以下、主走査方向）に延びるライン光源装置が、主走査方向と直交する方向（以下、副走査方向）に移動しながら、測定対象物１２の被照射面１４に光を照射する。照射光は、被照射面１４の各領域にて反射し、その反射光は、複数の反射ミラーとレンズを経由した後に２次元センサに導かれる。２次元センサは、検知した反射光を光電変換し、反射光の強度に応じた電気信号をＣＣＤ（Charge Coupled Devices）又はＣＭＯＳ（Complementary metal-oxide-semiconductor）等によって出力する。この出力された電気信号により、分光特性を示すデータ（測定データ）が得られる。
【００３２】
ここで、測定データは、被照射面１４を複数の領域に区画したときに、それぞれの領域について得られる。つまり、被照射面１４における各領域は、例えば方形状の領域として設定されており、２次元センサの画素（具体的には、後述する検知部５０のセンサ５４）に対応している。なお、以下の説明では、被照射面１４が縦方向にＭ個、且つ横方向にＮ個の領域（Ｍ，Ｎは２以上の自然数）に区画されていることとする。
【００３３】
また、２次元センサの画素のサイズは、２次元センサの解像度に応じて決まるが、本実施形態では、分光測定装置１０が縮小光学系の装置であるので、被照射面１４における各領域のサイズよりも小さくなっている。より厳密に説明すると、主走査方向における画素サイズ（画素ピッチ）は、被照射面１４の各領域の横幅よりも短くなっている。
【００３４】
＜＜分光測定装置の構成例＞＞
分光測定装置１０の構成について説明すると、分光測定装置１０は、図１に示すように、筐体２０の上部に設けられた無色透明の載置台２２に測定対象物１２の被照射面１４を載せた状態で分光測定を実施するフラットベッド型の装置である。なお、筐体２０に対しては、開閉自在な不図示のカバーが取り付けられている。つまり、分光測定装置１０は、クラムシェル型の開閉構造を備えている。
【００３５】
筐体２０の内部には、図１に示すように照射部３０、移動機構４０、検知部５０及び光路変更部６０が収容されている。さらに、分光測定装置１０は、図３に示すように、照射部３０及び移動機構４０等を制御する制御部７０を有する。図３は、分光測定装置１０の制御系統を示すブロック図である。
【００３６】
以下、分光測定装置１０の各構成要素について説明する。なお、以下では、測定対象物１２の横幅が主走査方向に沿った状態で測定対象物１２が載置台２２に載置されていることとする。また、以下の説明では、測定対象物１２の被照射面１４において主走査方向に沿って並ぶ一列分の領域の集合を「ライン」と呼ぶこととする。
【００３７】
＜照射部＞
照射部３０は、被照射面１４における各領域に対して光を照射する。照射部３０は、図１に示すように、載置台２２の直下に配置されている。照射部３０が照射した光は、載置台２２を通じて被照射面１４における各領域に到達する。なお、各領域に到達した光は、各領域にて反射し、その反射光は、載置台２２を通過した後に、後述するコリメートレンズ６２に向かって進む（例えば、図９参照）。
【００３８】
本実施形態において、照射部３０は、図１及び図４に示すように、複数の光源ユニット３２と、保持部材３８とを有する。図４は、照射部３０の構成を示す模式的な平面図である。なお、説明を分かり易くする都合上、図４では、光源ユニット３２及び載置台２２に載置された測定対象物１２のみを図示しており、それ以外の機器の図示を省略している。
【００３９】
それぞれの光源ユニット３２の構成は、図１及び図４に示すように、光源ユニット３２の間で共通している。そのため、以下では、複数の光源ユニット３２の一つを例に挙げ、その構成について説明することとする。
【００４０】
光源ユニット３２は、例えばライン光源装置によって構成されており、図４に示すように、主走査方向に延びた長尺な導光体３４と、光源３６とを有する。光源３６からの光は、導光体３４の長手方向端面（光入射面）から入射され、導光体３４の内部で導光されて、導光体３４の側面（光出射面）から出射される。この時の出射光は、線状の光（光束）であり、１ライン中の各領域に同時に照射される。
【００４１】
ちなみに、本実施形態では、光源ユニット３２が照射する光が白色光である。ただし、光源ユニット３２が照射する光は白色光には限定されず、互いに波長が異なる複数色の光、例えば、Ｒ（赤）、Ｇ（緑）及びＢ（青）の３色の光、並びにＲＧＢ以外の色の光（正確には、白色光を除く光）であってもよい。また、光源ユニット３２の光源３６としては、ＬＥＤ（Light Emitting Diode）、ＥＬ（Electro Luminescent）、ＬＤ（Laser Diode）、蛍光管ランプ、及びキセノンランプ等が利用可能である。
【００４２】
また、導光体３４の材料としては、ガラス等の透光性の無機材料、ＰＭＭＡ（Polymethyl Methacrylate）等のアクリル樹脂、ポリエステル樹脂、及びポリカーボネイト樹脂等の透光性の有機材料を用いることができる。その中でも、プラスチック等の成型容易な合成樹脂材料を用いることが好ましい。また、導光体３４の断面形状（主走査方向を法線方向とする断面の形状）は、出射光を測定対象物１２の被照射面１４に導光することができる形状であれば、特に限定されるものではない。
【００４３】
また、本実施形態では、導光体３４と光源３６とによって構成されたライン光源装置を光源ユニット３２として用いているが、これに限定されるものではない。例えば、主走査方向に沿って１ライン中の領域の数と同数だけ並べた点光源（例えば、ＬＥＤ）からなるアレイ光源を光源ユニット３２として用いてもよい。
【００４４】
また、照射部３０が備える光源ユニット３２の数については、３個以上が好ましく、４個以上がより好ましく、６個以上が特に好ましい。以下では、図４に図示したように光源ユニット３２が４個配置された構成を例に挙げて説明することとする。
【００４５】
また、複数の光源ユニット３２の各々は、副走査方向において互いに異なる位置に配置されている。より詳しく説明すると、複数の光源ユニット３２は、図１に示すように、側面視で（厳密には、主走査方向から見て）略円弧状の保持部材３８に対して前後に対称的に取り付けられている。具体的に説明すると、副走査方向において、２つの光源ユニット３２が、互いにずれた位置にて、保持部材３８の一端側の部分（前側部分）に取り付けられている。また、残り２つの光源ユニット３２は、副走査方向において、互いにずれた位置にて保持部材３８の他端側の部分（後側部分）に取り付けられている。
【００４６】
そして、本実施形態では、上記の配置により、それぞれの光源ユニット３２が、互いに異なる照射角度にて光を照射することになる。具体的に説明すると、副走査方向において最も一端側（スキャン開始地点側）に位置する光源ユニット３２からの照射角度は、３０度である。残りの３つの光源ユニット３２からの照射角度は、他端（スキャン終了地点）に向かうにつれて、順に６０度、９０度及び１２０度となっている。
【００４７】
ここで、照射角度は、各光源ユニット３２から照射される光の強度が最大となる方向の、被照射面１４の各領域に対する角度にて表され、厳密には、図５に示すように、載置台２２の上面（載置面）に対する傾き角度（例えば、図５中のα１〜α４）にて表される。図５は、本実施形態における照射角度の説明図であり、各光源ユニット３２が被照射面１４中のある領域に対して照射する光の光路を図示している。
なお、照射角度０度は、副走査方向において一端（スキャン開始地点）から他端（スキャン終了地点）に向かう向きに光を照射した際の照射角度である。反対に、照射角度１８０度は、副走査方向において他端（スキャン終了地点）から一端（スキャン開始地点）に向かう向きに光を照射した際の照射角度である。
【００４８】
＜移動機構＞
移動機構４０は、照射部３０及び測定対象物１２のうちの一方を他方に対して移動させるものである。特に、本実施形態に係る移動機構４０は、載置台２２上に静置させた測定対象物１２に対して照射部３０を副走査方向に移動させる。これにより、照射部３０は、所定の移動範囲をその一端から他端に向かって移動することができ、その後に、他端から一端に戻って再び移動範囲を移動する。ここで、照射部３０の移動範囲の一端とは、分光測定の開始時点での照射部３０の位置（つまり、スキャン開始地点）であり、他端は、分光測定の終了時点での照射部３０の位置（つまり、スキャン終了地点）である。
【００４９】
なお、載置台２２上に静置された測定対象物１２は、副走査方向において移動範囲内に収まっている。つまり、測定対象物１２の全長（縦方向の長さ）は、副走査方向における載置台２２の長さよりも短くなっている。
【００５０】
移動機構４０の構成例について説明すると、図１に図示のキャリッジ４２と、不図示の駆動機器と、この駆動機構の動力源であるモータ４４（図３参照）と、が移動機構４０を構成している。
【００５１】
キャリッジ４２は、照射部３０、コリメートレンズ６２及び第一反射ミラー６４ａ（コリメートレンズ６２及び第一反射ミラー６４ａについては、後述する）を搭載している。また、キャリッジ４２には、筐体２０の内部空間で副走査方向に沿って延出したガイドシャフト４６が挿通された軸孔（不図示）が形成されている。駆動機器は、筐体２０内部に設けられており、例えばベルト・プーリ等によって構成されている。駆動機器の一部は、キャリッジ４２と係合している。モータ４４は、不図示のギアを介して駆動機器に駆動力を付与する。
【００５２】
以上のように構成された移動機構４０においてモータ４４が回転すると、駆動機器が作動してキャリッジ４２をガイドシャフト４６に沿って移動させる。これにより、照射部３０がコリメートレンズ６２及び第一反射ミラー６４ａと共に副走査方向に移動する。
【００５３】
また、本実施形態では、モータ４４がステッピングモータからなり、分光測定中、所定の回転量毎に停止して断続的に回転する。これにより、照射部３０は、分光測定中、所定の移動量を移動する間欠移動動作を断続的に繰り返し実施することになる。ここで、一回の間欠移動動作における照射部３０の移動量は、１ラインの長さに相当する距離であり、測定対象物１２の縦方向が副走査方向に沿った状態では、被照射面１４において副走査方向に並ぶ領域のピッチ（間隔）に相当する。
ただし、キャリッジ４２及び照射部３０が所定の距離ずつ断続的に移動する構成に限定されるものではなく、キャリッジ４２及び照射部３０が一定速度にて連続的に移動する構成であってもよい。
【００５４】
ちなみに、本実施形態に係る移動機構４０は、照射部３０を測定対象物１２に対して副走査方向に移動させるものであるが、これに限定されるものではない。移動機構４０は、オートドキュメントフィーダのように、照射部３０が固定された状態で測定対象物１２を照射部３０に対して移動させる装置であってもよい。この場合、測定対象物１２の移動範囲の一端は、副走査方向における分光測定開始時での測定対象物１２の位置（厳密には、測定対象物１２の投入位置）であり、他端は、分光測定終了時での測定対象物１２の位置（厳密には、測定対象物１２の排出位置）である。また、移動機構４０は、照射部３０及び測定対象物１２の双方を移動させるものであってもよい。
【００５５】
＜検知部＞
検知部５０は、被照射面１４における複数の領域の各々にて反射された反射光を検知する。より詳しく説明すると、照射部３０から出射された光束が１ライン中の各領域（すなわち、主走査方向に並ぶＮ個の領域）に当たると、各領域で光が反射し、検知部５０は、Ｎ個の領域の各々での反射光を同時に検知する。また、本実施形態に係る検知部５０は、被照射面１４の各領域にて反射した反射光を、反射角度に関して複数設定された設定角度別に検知する。
【００５６】
ここで、反射角度とは、反射光が進む方向の、被照射面１４に対する角度のことであり、厳密には、図６に示すように、載置台２２の上面（載置面）に対する傾き角度（例えば、図６中のβ１〜β７）にて表される。図６は、本実施形態における照射角度の説明図であり、被照射面１４中のある領域にて反射された光（反射光）の一部の光路を示す図である。
なお、０度以上且つ９０度未満の反射角度は、副走査方向において一端（スキャン開始地点）寄りの向きに反射した光の反射角度である。反射角度９０度は、被照射面１４に対して垂直な反射光の反射角度であり、９０度超且つ１８０度以下の反射角度は、副走査方向において他端（スキャン終了地点）寄りの向きに反射した光の反射角度である。
【００５７】
また、設定角度とは、予め複数設定された反射角度である。設定角度の種類数及び各設定角度の大きさについては、任意に設定し得るが、以下では、図６に図示のβ１〜β７を設定角度とする。ここで、設定角度（すなわち、β１〜β７）は、後述するように検知部５０のセンサ５４（画素）が受光する反射光の角度と対応付けられており、画素の大きさに応じて若干の幅（広がり）を有する。すなわち、設定角度は、その中央値に画素に応じた範囲を加えた形で設定されている。なお、以下の説明において、設定角度は、３０度±ｄ（ｄは、０度より大きく、且つ２度以下。以下、同様）、４５度±ｄ、６０度±ｄ、９０度±ｄ、１２０度±ｄ、１３５度±ｄ、及び１５０度±ｄの７種類に設定されていることとする。
【００５８】
本実施形態に係る検知部５０の構成について説明すると、２次元センサが検知部５０を構成している。検知部５０は、平面視で矩形形状をなしており、センサ表面（反射光の入射面）が副走査方向に対して垂直となった状態で筐体２０内に配置されている。
【００５９】
検知部５０は、分光測定装置１０の高さ方向において複数のセンサ列５２が並ぶことによって構成されている。それぞれのセンサ列５２は、リニアセンサによって構成されており、主走査方向に並ぶ複数のセンサ５４（画素）からなる。センサ列５２を構成するセンサ５４の数、すなわち、画素数は、１ラインにおける領域の数（具体的には、Ｎ個）と同数である。そして、各センサ５４は、１ライン中、対応する領域にて反射した反射光を検知する。
【００６０】
各センサ５４は、ＣＣＤセンサ又はＣＭＯＳセンサからなり、受光した反射光の強弱に応じて光電変換された電荷を、アナログシフトレジスタで転送した後に電荷−電圧変換増幅器により電圧信号に変換し、その電圧信号を出力する。また、各センサ５４（すなわち、各画素）には、図７に示すように、互いに受光する光の波長が異なるＬ個（Ｌは２以上の自然数）の受光素子５６が設けられている。図７は、検知部５０における各センサ列５２の構成についての説明図である。また、図７中には、一つのセンサ５４の構成を拡大して図示している。ちなみに、図７では、センサ５４内に設けられる受光素子５６の個数Ｌが６となっているが、当然ながら、これに限定されるものではない。
【００６１】
Ｌ個の受光素子５６の各々は、光電変換素子からなり、具体的には、例えばフォトダイオード及びフォトダイオード等からなる。また、それぞれの受光素子５６には、他の受光素子と重複しない色のフィルタがオンチップで形成されている。ここで、１種類の受光素子５６は、１つのチャンネルとして機能する。各センサ５４は、マルチチャンネルのセンサであり、Ｌ個のチャンネルのそれぞれについて、色別の電気信号を出力する。
【００６２】
以上のように、本実施形態では、各センサ列５２が設定波長毎に設けられた複数のチャンネルを有している。また、複数のチャンネルのそれぞれは、対応する設定波長に応じたフィルタを備えた受光素子５６によって構成されている。そして、各センサ列５２は、複数のチャンネルのそれぞれにて、対応する設定波長の反射光を検知する。以上により、各センサ列５２は、１ラインにつき、画素数×チャンネル数（設定波長の種類数）の電気信号を出力する。より詳しく説明すると、各センサ５４（各画素）からは、チャンネル毎の電気信号が同時並行でシリアル出力される。
【００６３】
ここで、設定波長は、検知部５０がＬ個の受光素子５６にて検知する光（換言すると、照射部３０が照射する光）に関して複数設定されており、具体的には、Ｌ個の受光素子５６のそれぞれが備えるフィルタと対応する波長である。なお、設定波長の種類数Ｌ（チャンネル数）及び各設定波長の大きさについては、特に限定されないが、種類数Ｌ(チャンネル数)については、３以上であると好ましく、４以上であるとより好ましく、１６以上であると更に好ましい。また、設定波長については、ＲＧＢ３色の波長と、その波長とは異なる数色の波長を追加させるのが望ましい。例えば、設定波長の種類数が４波長である場合には、ＲＧＢ３色の各々について等色関数での感度（刺激値）が正となるときの波長、及び、Ｒ（赤）について等色関数での感度が負となるときの波長に設定すればよい。
【００６４】
なお、図７に図示した検知部５０の構成では、各画素においてＬ個のチャンネルが主走査方向に並んでいることとした。ただし、これに限定されるものではなく、図８に示すように、各センサ列５２が、設定波長別（色別）に設けられたＬ個の色別センサ列５２ｘが副走査方向において互いに平行に並ぶことによって構成されてもよい。色別センサ列５２ｘには、対応する色の受光素子を主走査方向において画素数と同じ数だけ並んでいる。以上のように構成された図８に図示の検知部５０であれば、図７に図示した構成の検知部５０と同様の機能を発揮する。
図８は、変形例に係るセンサ列５２の構成を示す図である。また、図８中には、一つのセンサ列５２の構成を拡大して図示している。ちなみに、図８では、色別センサ列５２ｘの個数Ｌが６となっているが、当然ながら、これに限定されるものではない。
【００６５】
また、本実施形態において、センサ列５２は、照射部３０から白色光が照射されたときに、Ｌ個のチャンネルにて設定波長別（色別）に反射光を受光するカラーセンサ方式を採用している。ただし、これに限定されるものではなく、照射部３０が設定波長毎に設けられた複数の光源を有し、１ラインに対して、照射部３０が光を照射する際に用いる光源を順次切り替える光源切替方式を採用してもよい。
【００６６】
光源切替方式では、複数の光源の各々が、互いに異なる波長の光（換言すると、互いに異なる色の光）を発し、照射部３０が照射する光の色が、光源毎に（換言すると、設定波長毎に）切り替わる。そして、照射部３０が照射する光の色が切り替わる度に、検知部５０の各センサ列５２が反射光を検知する。より具体的に説明すると、各センサ列５２の各センサ５４は、１ライン中の対応する領域にて反射した反射光をモノクロの受光素子にて受光し、その強度に応じた電気信号を出力する。かかる動作が設定波長毎（換言すると、光源毎）に繰り返されることにより、各センサ列５２は、１ラインあたりに、画素数×設定波長の種類数の電気信号を、それぞれ時分割式に出力する。
【００６７】
検知部５０の構成について改めて説明すると、検知部５０では、図７及び図８に示すように、複数のセンサ列５２が主走査方向と直交する方向に並んでおり、具体的には、分光測定装置１０の高さ方向に並んでいる。また、センサ列５２の個数は、反射角度に対して設定された設定角度の種類数と同数である。
【００６８】
さらに、本実施形態では、後述する光路変更部６０の機能により、それぞれの設定角度にて反射された反射光を、互いに異なるセンサ列５２に到達させることができる。これにより、照射部３０が被照射面１４の１ラインに対して光が照射した際、検知部５０は、複数の設定角度のそれぞれにて反射された反射光を、設定角度別に検知することができる。より詳しく説明すると、検知部５０は、設定角度別に分かれた反射光を、それぞれ対応するセンサ列５２にて同時に検知することができる。この結果、検知部５０は、１ラインにつき、画素数×設定波長の種類数（チャンネル数）×設定角度の種類数の電気信号を出力することができる。
なお、本実施形態において、各センサ５４（画素）は、対応する設定角度にて反射された反射光を受光する際に、画素の大きさに相当する角度範囲内（具体的には、設定角度の中央値±ｄ度の範囲内）にて光を受光する。
【００６９】
＜光路変更部＞
光路変更部６０は、複数の光学機器によって構成されており、反射光の光路を反射角度に応じて変更する。光路変更部６０は、図１に示すように、光路の上流側から順にコリメートレンズ６２、第一反射ミラー６４ａ、第二反射ミラー６４ｂ、第三反射ミラー６４ｃ及び集光用レンズ６６を有する。ここで、光路における「上流側」とは、光路において測定対象物１２に近い側を意味し、「下流側」とは、光路において検知部５０に近い側を意味する。
【００７０】
コリメートレンズ６２は、半円柱形状のシリンドリカルレンズによって構成されており、円弧面状の入射面と平面状の出射面とを有する。反射光は、入射面からコリメートレンズ６２内に進入した後に屈折し、出射面に垂直な光として出射される。ここで、反射光の出射位置（出射面における通過位置）は、その反射光の反射角度に応じて変わる。
【００７１】
したがって、１ライン中の各領域で生じた複数の反射光は、それぞれ図９に示すように平行光となり、且つ、互いにずれた位置にてコリメートレンズ６２の出射面から出射される。つまり、反射角度が設定角度に等しい複数の反射光（換言すると、設定角度別に分かれた反射光）の各々は、コリメートレンズ６２を通過することで平行光となる。
図９は、反射光の光路についての説明図であり、図中では光路を一点鎖線にて図示している。なお、図示を分かり易くする目的から、図９には、分光測定装置１０の構成要素のうち、載置台２２、光源ユニット３２、光路変更部６０及び検知部５０のみを図示している。
【００７２】
また、コリメートレンズ６２は、前述したようにキャリッジ４２に搭載されており、より具体的には、図１に示すように、副走査方向における保持部材３８の中央部分に取り付けられている。したがって、キャリッジ４２によって照射部３０が副走査方向に移動する際には、コリメートレンズ６２を構成するシリンドリカルレンズが照射部３０と共に移動する。
【００７３】
第一反射ミラー６４ａ、第二反射ミラー６４ｂ及び第三反射ミラー６４ｃは、コリメートレンズ６２を通過して平行光となった反射光（設定角度別に分かれた反射光を含む）を全反射させて検知部５０の配置位置に向かわせる。第一反射ミラー６４ａは、コリメートレンズ６２の出射面と対向する位置に配置されている。
【００７４】
なお、本実施形態において、第一反射ミラー６４ａは、図１に示すように、キャリッジ４２に搭載されており、キャリッジ４２によって照射部３０が移動する際には照射部３０及びコリメートレンズ６２と共に移動する。つまり、照射部３０、コリメートレンズ６２及び第一反射ミラー６４ａとの間の相対的な位置関係は、照射部３０の移動前後で変化せず固定されている。
【００７５】
第二反射ミラー６４ｂは、第一反射ミラー６４ａと対向する位置に配置されており、具体的には、図１に示すように副走査方向において第一反射ミラー６４ａと並ぶ位置に配置されている。第三反射ミラー６４ｃは、第二反射ミラー６４ｂと対向する位置に配置されており、図１に示すように、分光測定装置１０の高さ方向において第二反射ミラー６４ｂと並ぶ位置に配置されている。
【００７６】
そして、コリメートレンズ６２を通過した光は、第一反射ミラー６４ａ、第二反射ミラー６４ｂ及び第三反射ミラー６４ｃの各々にて反射することにより、副走査方向と略平行な光路にて検知部５０に向かうようになる。そして、第三反射ミラー６４ｃにて反射された時点で、平行光となった設定角度別の反射光の各々の光路は、図９に示すように、分光測定装置１０の高さ方向において互いにずれている。
【００７７】
集光用レンズ６６は、第三反射ミラー６４ｃの配置位置よりも下流側の位置（換言すると、コリメートレンズ６２の配置位置よりも下流側の位置）に配置された凸レンズである。集光用レンズ６６は、検知部５０の手前位置で、設定角度別に分かれた反射光の各々を平行光である状態から集光させるために設けられている。
【００７８】
より詳しく説明すると、集光用レンズ６６の手前位置において、設定角度別に分かれた反射光は、図９に示すように、平行光として、分光測定装置１０の高さ方向において互いにずれた状態で副走査方向に沿って進行する。その後、設定角度別に分かれた反射光の各々は、集光用レンズ６６を通過する間に、分光測定装置１０の高さ方向においてレンズ中央位置（すなわち、光軸が通る位置）に近付くように屈折する。この結果、設定角度別に分かれた反射光の各々が集光用レンズ６６を通過した後には、反射光の光路の間隔が、図９に示すように、検知部５０に近づくにつれて短くなる。
【００７９】
そして、設定角度別に分かれた反射光の各々は、最終的に検知部５０に到達する。このとき、設定角度別に分かれた反射光の各々は、検知部５０において並ぶ複数のセンサ列５２のうち、それぞれの設定角度と対応するセンサ列５２に到達する。つまり、設定角度別に分かれた反射光の各々は、光路変更部６０が光路を変更すること（厳密には、各反射光がコリメートレンズ６２を通過した後に全反射を繰り返すこと）により、設定角度毎に分離した状態で、互いに異なるセンサ列５２に到達する。
【００８０】
なお、本実施形態において、設定角度別に分かれた反射光の各々は、集光用レンズ６６によって平行光の状態から集光された後に、対応するセンサ列５２に到達する。これにより、検知部５０の手前位置で光路の間隔が下流側に向かうにつれて漸次的に短くなるので、センサ列５２のピッチ（分光測定装置１０の高さ方向における間隔）を短くすることができる。この結果、検知部５０全体のサイズをより小さくすることが可能となる。
【００８１】
＜制御部＞
制御部７０は、分光測定装置１０に内蔵のマイクロコンピュータからなり、制御回路７１を介して照射部３０及び移動機構４０を制御する。本実施形態において、制御部７０は、被照射面１４中の１ラインに対して光を照射する際に、複数の光源ユニット３２の各々をオンオフ制御し、照射部３０が光を照射する際に用いる光源ユニット３２を順次切り替える。これにより、制御部７０は、１ラインに対する光の照射角度を変更させることができる。
【００８２】
そして、本実施形態では、移動機構４０によって照射部３０が移動範囲の一端（スキャン開始地点）から他端（スキャン終了地点）まで移動する間に、制御部７０が、１ライン毎に、ライン中の各領域に対する光の照射角度を複数の角度に変更させる。これにより、１回のスキャンにおいて、被照射面１４を構成する複数の領域の各々には、異なる照射角度にて光が複数回照射されることになる。ちなみに、図１に図示の構成、すなわち、光源ユニット３２が４個配置されている構成では、４種類の照射角度（具体的には、３０度、６０度、９０度及び１２０度）にて光が各領域に対して照射されることになる。
【００８３】
なお、制御部７０の制御によって変更可能な照射角度の種類数は、光源ユニット３２の設置数と等しく、前述したように、３以上が好ましく、４以上がより好ましく、６以上が更に好ましい。また、照射角度については、０度、４５度及び１３５度以外の角度であることが望ましく、具体的には、例えば、３０度、６０度、９０度及び１２０度等に設定してもよい。
【００８４】
＜＜本実施形態に係る分光測定装置の動作例＞＞
次に、本実施形態に係る分光測定装置１０の動作例について説明する。
まず、照射部３０が、副走査方向において移動方向の一端（スキャン開始地点）に位置している間に光を照射する。
【００８５】
具体的に説明すると、制御部７０が複数の光源ユニット３２中の一つをオンし、これにより、その光源ユニット３２の導光体３４から光（光束）が照射される。照射された光（光束）は、載置台２２に載置された測定対象物１２の被照射面１４中、副走査方向において最も一端側に位置するライン（以下、最初のライン）に照射される。そして、照射された光は、最初のライン中の各領域にて反射する。
【００８６】
それぞれの反射角度にて反射した光（反射光）は、光路変更部６０によって反射角度毎に分離される。より具体的に説明すると、反射角度別に分かれた反射光は、コリメートレンズ６２によって平行光となり、互いにずれた光路に沿って筐体２０内を進行する。そして、反射角度別に分かれた反射光は、検知部５０の手前位置で集光用レンズ６６によって集光され、最終的に検知部５０に到達する。このとき、反射光のうち、反射角度が設定角度に該当する反射光は、設定角度別に分かれた状態で、それぞれの設定角度と対応するセンサ列５２に到達する。
【００８７】
各センサ列５２では、複数のセンサ５４（画素）のそれぞれにおいて、チャンネル毎に設けられた受光素子５６が、対応する波長（色）の反射光を受光する。この結果、検知部５０は、最初のラインについて、画素数×設定角度の種類数×チャンネル数の電気信号を同時並行で出力する。
【００８８】
その後、制御部７０は、それまで光を照射していた光源ユニット３２をオフし、残りの光源ユニット３２のうちの一つをオンし、その光源ユニット３２の導光体３４から最初のラインに向けて光を照射させる。つまり、制御部７０は、照射部３０を制御して、最初のラインに対する光の照射角度を変更する。そして、変更後の照射角度について上記の動作が繰り返される。つまり、照射角度の変更後、検知部５０が最初のラインについて再び反射光を設定角度別に検知し、画素数×設定角度の種類数×チャンネル数の電気信号を出力する。
【００８９】
以降、制御部７０は、照射部３０が光を照射する際に用いる光源ユニット３２を順次切り替えて照射角度の変更を繰り返す。そして、照射角度が変わる度に、検知５０部が反射光を設定角度別に検知し、画素数×設定角度の種類数×チャンネル数の電気信号を出力する。これにより、最初のラインについて、画素数×設定角度の種類数×チャンネル数×照射角度の種類数に相当する数の分光特性を取得することができる。
【００９０】
次に、移動機構４０が副走査方向において照射部３０を所定の距離（具体的には、１ラインに相当する距離）だけ移動させる。その後、制御部７０が上記と同様の手順により照射部３０を制御する。これにより、照射部３０が照射角度を変えながら、副走査方向において最初のラインと隣接するライン（以下、２番目のライン）に対して光を照射する。
【００９１】
そして、それぞれの照射角度について、検知部５０が、２番目のライン中の各領域にて反射した反射光を、チャンネル毎（色毎）に分けて設定角度別に検知する。これにより、２番目のラインについて、画素数×設定角度の種類数×チャンネル数×照射角度の種類数に相当する数の分光特性を取得することができる。
【００９２】
以降、照射部３０が移動範囲の他端（スキャン終了地点）に到達するまで、光の照射及び反射光の検知が繰り返し実施される。つまり、上記一連の動作は、副走査方向において最も他端側に位置するライン（すなわち、Ｍ番目のライン）についての分光特性が得られるまで繰り返される。そして、Ｍ番目のラインについての分光特性が得られた時点で、一つの測定対象物１２を対象とする分光測定が終了する。
【００９３】
以上のように、本実施形態では、１回のスキャンにおいて、測定対象物１２の被照射面１４中の各領域に対する光の照射角度を複数の角度に切り替える。そして、照射角度が切り替わるごとに、各領域で反射した反射光を反射角度別(厳密には、設定角度別)に検知する。特に、本実施形態では、複数のチャンネルのそれぞれにおいて、反射光を波長毎（色毎）に検知する。これにより、被照射面１４中の各領域について、照射角度の種類数×設定角度の種類数×チャンネル数に相当する数の分光特性を取得することができる。
【００９４】
したがって、本実施形態に係る分光測定装置１０によれば、光の照射角度を変えながら反射角度別に分光特性を測定することができるので、特許文献１に記載の装置を含む従来の分光測定装置に比して、1回の測定でより多くの分光特性を取得することができる。
【００９５】
また、上記の効果は、観察角度に応じて色合い及び模様等が変化する画像が形成された測定対象物１２を対象として分光測定を実施する場合には、特に有意義である。つまり、観察角度に相当する光の照射角度を変更し、それぞれの照射角度で照射した光の反射光を反射角度別（厳密には、設定角度別）に検知することにより、画像が観察角度に応じて変化する測定対象物１２について、観察角度毎の分光特性を良好に取得することが可能となる。
【００９６】
また、本実施形態に係る分光測定装置１０では、１スキャン（照射部３０の１往復動作）中に照射角度を複数の角度に切り替えることができるため、照射角度を変更する度にスキャンを繰り返す必要がなく、照射角度の切り替えがより短時間で行われる。つまり、本実施形態に係る分光測定装置１０であれば、被照射面１４の各領域について、より多くの分光特性を、より短時間（１スキャン）で取得することが可能となる。
【００９７】
＜＜変形例＞＞
上記の実施形態では、照射部３０が、副走査方向において互いに異なる位置に配置された複数の光源ユニット３２を有することとした。そして、上記の実施形態では、照射部３０が光を照射する際に用いる光源ユニット３２が切り替わることで、光の照射角度が変わることとした。ただし、照射角度を変えるための機構については、上記の機構に限定されず、他の機構も考えられる。
【００９８】
具体的に説明すると、例えば、照射部３０が光源ユニット３２を一つのみ備え、この光源ユニット３２が揺動自在に保持部材３８に保持されてもよい。そして、副走査方向において光源ユニット３２を保持部材３８に対して揺動させる揺動機構（不図示）が照射部３０に設けられていてもよい。このような構成であれば、制御部７０が照射部３０の揺動機構を制御して光源ユニット３２を揺動させることで、照射角度を任意の角度に変えることが可能となる。
【００９９】
また、上記の実施形態では、照射部３０を断続的に移動させ、１ラインに対して照射角度を変えながら光を照射する間、すべての照射角度での光の照射が終わるまで照射部３０の移動を停止させることとした。ただし、これに限定されるものではなく、照射部３０を一定の速度にて連続的に移動させ、１ラインに対する照射角度を切り替える際にも照射部３０を移動させ続けてもよい。この場合、照射角度の切り替え前後で各領域における光の照射位置が多少ずれることになるが、それぞれの照射角度にて照射した光が同じ領域内に当ればよい。
【０１００】
また、上記の実施形態では、検知部５０が反射光を検知する際に、チャンネル別（換言すると、光の波長別）に反射光を検知することとしたが、これに限定されるものではない。例えば、検知部５０が反射光を検知する際に、一つの特定色の反射光のみを検知する構成であってもよい。すなわち、検知部５０の各センサ５４（画素）が単一のチャンネルを有し、検知部５０は、単一のチャンネルのみを用いて一種類の波長の反射光を設定角度別に検知してもよい。ただし、より多くの分光特性を取得する観点では、言うまでもなく、チャンネル別に反射光を検知する方が望ましい。
【符号の説明】
【０１０１】
１０  分光測定装置
１２  測定対象物
１４  被照射面
１６  画像記録部
２０  筐体
２２  載置台
３０  照射部
３２  光源ユニット
３４  導光体
３６  光源
３８  保持部材
４０  移動機構
４２  キャリッジ
４４  モータ
４６  ガイドシャフト
５０  検知部
５２  センサ列
５２ｘ  色別センサ列
５４  センサ
５６  受光素子
６０  光路変更部
６２  コリメートレンズ
６４ａ  第一反射ミラー
６４ｂ  第二反射ミラー
６４ｃ  第三反射ミラー
６６  集光用レンズ
７０  制御部
７１  制御回路
【図１】
2020090300.tif 000003
【図２】
2020090300.tif 000004
【図３】
2020090300.tif 000005
【図４】
2020090300.tif 000006
【図５】
2020090300.tif 000007
【図６】
2020090300.tif 000008
【図７】
2020090300.tif 000009
【図８】
2020090300.tif 000010
【図９】
2020090300.tif 000011
【国際調査報告】
2020090300.tif 000012
2020090300.tif 000013
2020090300.tif 000014
2020090300.tif 000015